(57)【特許請求の範囲】
【請求項１】
室外空間から取り込んだ室外空気を室内空間へ供給する給気通路と、
室内空間から取り出した室内空気を室外空間へ排気する排気通路と、
通過する吸着用空気の水分を吸着又は通過する再生用空気に水分を脱着する調湿部及び通過する冷却用空気にて前記調湿部の吸着に伴う吸着熱を吸収する冷却部を夫々有する一対の調湿素子と、
室外空間から取り込んだ室外空気を前記排気通路へ供給する室外空気供給通路と、
前記一対の調湿素子のうちの何れか一方を、前記給気通路を通流する室外空気が前記吸着用空気として前記調湿部を通過し、かつ、前記排気通路を通流する室外空気と室内空気とが前記冷却用空気として前記冷却部を通過する吸着側素子とし、他方の前記調湿素子を、前記再生用空気が前記調湿部を通過する再生側素子とする状態で、前記一対の調湿素子の夫々を、前記吸着側素子と前記再生側素子とに切り換え可能な切換機構とを備えた空調システムであって、
室外空間から取り込んだ室外空気を前記再生用空気として、前記再生側素子の前記調湿部を通過させて室外空間へ排出する室外空気循環通路と、
前記室外空気循環通路に設けられ、前記再生側素子の前記調湿部に供給される室外空気を加熱する加熱部と、
前記給気通路に室外空間から取り込んだ室外空気を通流させる給気手段とを備え、
前記室外空気循環通路及び前記室外空気供給通路は、前記給気手段よりも下流側であって前記吸着側素子の前記調湿部よりも上流側において、前記給気通路から分岐した通路である空調システム。
【請求項２】
室外空間から取り込んだ室外空気を室内空間へ供給する給気通路と、
室内空間から取り出した室内空気を室外空間へ排気する排気通路と、
通過する吸着用空気の水分を吸着又は通過する再生用空気に水分を脱着する調湿部及び通過する冷却用空気にて前記調湿部の吸着に伴う吸着熱を吸収する冷却部を夫々有する一対の調湿素子と、
室外空間から取り込んだ室外空気を前記排気通路へ供給する室外空気供給通路と、
前記一対の調湿素子のうちの何れか一方を、前記給気通路を通流する室外空気が前記吸着用空気として前記調湿部を通過し、かつ、前記排気通路を通流する室外空気と室内空気とが前記冷却用空気として前記冷却部を通過する吸着側素子とし、他方の前記調湿素子を、前記再生用空気が前記調湿部を通過する再生側素子とする状態で、前記一対の調湿素子の夫々を、前記吸着側素子と前記再生側素子とに切り換え可能な切換機構とを備えた空調システムであって、
室外空間から取り込んだ室外空気を前記再生用空気として、前記再生側素子の前記調湿部を通過させて室外空間へ排出する室外空気循環通路と、
前記室外空気循環通路に設けられ、前記再生側素子の前記調湿部に供給される室外空気を加熱する加熱部と、
前記室外空気循環通路を通流する室外空気の流量を調整する循環量調整手段とを備え、
前記循環量調整手段が、前記再生側素子の前記調湿部を通過する前記再生用空気の単位時間あたりの流量を、当該調湿部における前記吸着用空気に対する除湿負荷に応じて調整する空調システム。
【請求項３】
前記室外空気循環通路を通流する室外空気の流量を調整する循環量調整手段を備え、
前記循環量調整手段が、前記再生側素子の前記調湿部を通過する前記再生用空気の単位時間あたりの流量を、当該調湿部における前記吸着用空気に対する除湿負荷に応じて調整する請求項１に記載の空調システム。
【請求項４】
前記調湿素子は、複数の平板部材が、当該平板部材同士の間の夫々に前記冷却部又は前記調湿部を形成する状態で積層され、前記平板部材の積層方向において、前記冷却部と前記調湿部とが交互に配設されて構成され、前記冷却部における空気の流れ方向と、前記調湿部における空気の流れ方向とが、互いに向かい合う方向である請求項１から３の何れか１項に記載の空調システム。
【請求項５】
室内空間へ供給する室外空気の流量と、室内空間から取り出す室内空気の流量とが同等とされる請求項１から４の何れか１項に記載の空調システム。 
【発明の詳細な説明】
【技術分野】
【０００１】
本発明は、室外空間から取り込んだ室外空気を室内空間へ供給する給気通路と、室内空間から取り出した室内空気を室外空間へ排気する排気通路と、通過する吸着用空気の水分を吸着又は通過する再生用空気に水分を脱着する調湿部及び通過する冷却用空気にて調湿部の吸着に伴う吸着熱を吸収する冷却部を夫々有する一対の調湿素子と、室外空間から取り込んだ室外空気を排気通路へ供給する室外空気供給通路と、一対の調湿素子のうちの何れか一方を、給気通路を通流する室外空気が吸着用空気として調湿部を通過し、かつ、排気通路を通流する室外空気と室内空気とが冷却用空気として冷却部を通過する吸着側素子とし、他方の調湿素子を、再生用空気が調湿部を通過する再生側素子とする状態で、一対の調湿素子の夫々を、吸着側素子と再生側素子とに切り換え可能な切換機構とを備えた空調システムに関する。
【背景技術】
【０００２】
かかる空調システムは、一対の調湿素子のうちの何れか一方を、室外空気に含まれる水分を吸着する吸着側素子とし、他方の調湿素子を、吸着した水分を脱着する再生側素子として、一対の調湿素子を、吸着側素子と再生側素子とに交互に切り換えて、連続的に室外の空気を除湿して室内に供給するものである。なお、吸着側素子においては、水分を吸着させる時に吸着熱が発生するが、吸着側素子の冷却部に冷却用空気を供給して冷却することにより、吸着側素子の吸湿部の温度上昇による水分吸着性能の低下が抑制されている。
【０００３】
すなわち、一対の調湿素子のうちの何れか一方を吸着側素子として、調湿部において室外空間から取り込んだ吸着用空気に含まれる水分を吸着しつつ、冷却部において冷却用空気を通過させて調湿部の吸着に伴って発生する吸着熱を吸収する状態とし、他方の調湿素子を再生側素子として、調湿部において再生用空気を通過させて吸着した水分を脱着する状態とし、吸着側素子の調湿部を通過して水分が除去された吸着用空気を室内空間に供給する。この状態で、例えば、吸着側素子が水分を十分に吸着した状態、かつ、再生側素子が水分を脱着した状態となる所定時間が経過すると、一方の調湿素子への空気の通流状態と、他方の調湿素子への空気の通流状態とを切り換えて、他方の調湿素子を吸着側素子とし、一方の調湿素子を再生側素子として、吸着側素子の調湿部を通過して水分が除去された室外空気を室内空間に供給する。この切り換えを所定時間毎に繰り返し行うことにより、連続的に室外空気を除湿して室内空間に供給することが可能となる。
【０００４】
かかる空調システムの従来例として、室内空間から取り出した空気と室外空間から取り込んだ空気とを冷却用空気として吸着側素子の冷却部を通過させた後に、再生側素子の調湿部を通過させて、再生側素子の調湿部において吸着されている水分を脱着するものがある（例えば、特許文献１参照）。つまり、特許文献１の空調システムは、吸着側素子の吸湿部において発生する吸着熱により加熱される冷却用空気を、再生側素子の調湿部から水分を脱着する再生用空気として利用するものである。
【先行技術文献】
【特許文献】
【０００５】
【特許文献１】特開２００３−１４８７６８号公報
【発明の概要】
【発明が解決しようとする課題】
【０００６】
このような空調システムは、主に室外温度が高くなる夏場等に室外空気の水分を除去して室内空間に供給するために使用されるものであるので、空調システムを稼働する場合には、室内空間に供給された水分除去後の空気は、通常、室内空間に設けられたエアコン等によって室外温度よりも低い温度に温度調節されている。よって、特許文献１の空調システムでは、温度の低い室内空気が再生用空気の一部として使用されることになる。このような場合には、再生用空気の温度を、再生側素子の調湿部から水分を脱着することができる所定の温度にまで加熱するための加熱量が大きくなるという問題があった。
【０００７】
本発明は、上述の課題に鑑みてなされたものであり、その目的は、調湿素子の調湿部から水分を脱着するために必要となる再生用空気の加熱量を少なくすることができる空調システムを提供することにある。
【課題を解決するための手段】
【０００８】
本発明に係る空調システムは、室外空間から取り込んだ室外空気を室内空間へ供給する給気通路と、
室内空間から取り出した室内空気を室外空間へ排気する排気通路と、
通過する吸着用空気の水分を吸着又は通過する再生用空気に水分を脱着する調湿部及び通過する冷却用空気にて前記調湿部の吸着に伴う吸着熱を吸収する冷却部を夫々有する一対の調湿素子と、
室外空間から取り込んだ室外空気を前記排気通路へ供給する室外空気供給通路と、
前記一対の調湿素子のうちの何れか一方を、前記給気通路を通流する室外空気が前記吸着用空気として前記調湿部を通過し、かつ、前記排気通路を通流する室外空気と室内空気とが前記冷却用空気として前記冷却部を通過する吸着側素子とし、他方の前記調湿素子を、前記再生用空気が前記調湿部を通過する再生側素子とする状態で、前記一対の調湿素子の夫々を、前記吸着側素子と前記再生側素子とに切り換え可能な切換機構とを備えた空調システムであって、その特徴構成は、
室外空間から取り込んだ室外空気を前記再生用空気として、前記再生側素子の前記調湿部を通過させて室外空間へ排出する室外空気循環通路と、
前記室外空気循環通路に設けられ、前記再生側素子の前記調湿部に供給される室外空気を加熱する加熱部と、
前記給気通路に室外空間から取り込んだ室外空気を通流させる給気手段とを備え、
前記室外空気循環通路及び前記室外空気供給通路は、前記給気手段よりも下流側であって前記吸着側素子の前記調湿部よりも上流側において、前記給気通路から分岐した通路である点にある。 
【０００９】
上記特徴構成によれば、室外空気を再生用空気として再生側素子の調湿部を通過するように構成されているので、例えば、室内空気が室外空気よりも低い温度に温度調節されているような場合において、温度が低い室内空気を再生用空気の一部として使用せずに、室外空気を再生用空気として使用することにより、再生側素子の調湿部から水分を脱着することができる所定の温度にまで再生用空気を加熱するために必要となる加熱量を少なくすることができる。
【００１０】
また、例えば、室内空気を再生用空気の一部として使用するような場合においては、再生用空気の流量を変化させると、室内の圧力が変動する虞がある。ところが、本特徴構成によれば、室内空気を再生用空気の一部として使用せず、室外空気を再生用空気として利用するので、再生側素子の調湿部を通過する再生用空気の流量を変化させることによって、調湿部の水分の脱着速度を調節する場合等において、室内の圧力に影響を与えることなく、必要に応じて再生用空気の流量を変化させることができる。
加えて、給気通路にのみ室外空間から取り込んだ室外空気を通流させる給気手段を設けるだけで、給気通路、室外空気供給通路及び室外空気循環通路の夫々に室外空気を通流させることができるので、システムの構成の簡素化を図ることができる。
【００１１】
本発明に係る空調システムは、室外空間から取り込んだ室外空気を室内空間へ供給する給気通路と、
室内空間から取り出した室内空気を室外空間へ排気する排気通路と、
通過する吸着用空気の水分を吸着又は通過する再生用空気に水分を脱着する調湿部及び通過する冷却用空気にて前記調湿部の吸着に伴う吸着熱を吸収する冷却部を夫々有する一対の調湿素子と、
室外空間から取り込んだ室外空気を前記排気通路へ供給する室外空気供給通路と、
前記一対の調湿素子のうちの何れか一方を、前記給気通路を通流する室外空気が前記吸着用空気として前記調湿部を通過し、かつ、前記排気通路を通流する室外空気と室内空気とが前記冷却用空気として前記冷却部を通過する吸着側素子とし、他方の前記調湿素子を、前記再生用空気が前記調湿部を通過する再生側素子とする状態で、前記一対の調湿素子の夫々を、前記吸着側素子と前記再生側素子とに切り換え可能な切換機構とを備えた空調システムであって、その特徴構成は、
室外空間から取り込んだ室外空気を前記再生用空気として、前記再生側素子の前記調湿部を通過させて室外空間へ排出する室外空気循環通路と、
前記室外空気循環通路に設けられ、前記再生側素子の前記調湿部に供給される室外空気を加熱する加熱部と、
前記室外空気循環通路を通流する室外空気の流量を調整する循環量調整手段とを備え、
前記循環量調整手段が、前記再生側素子の前記調湿部を通過する前記再生用空気の単位時間あたりの流量を、当該調湿部における前記吸着用空気に対する除湿負荷に応じて調整する点にある。 
【００１２】
上記特徴構成によれば、室外空気を再生用空気として再生側素子の調湿部を通過するように構成されているので、例えば、室内空気が室外空気よりも低い温度に温度調節されているような場合において、温度が低い室内空気を再生用空気の一部として使用せずに、室外空気を再生用空気として使用することにより、再生側素子の調湿部から水分を脱着することができる所定の温度にまで再生用空気を加熱するために必要となる加熱量を少なくすることができる。
また、例えば、室内空気を再生用空気の一部として使用するような場合においては、再生用空気の流量を変化させると、室内の圧力が変動する虞がある。ところが、本特徴構成によれば、室内空気を再生用空気の一部として使用せず、室外空気を再生用空気として利用するので、再生側素子の調湿部を通過する再生用空気の流量を変化させることによって、調湿部の水分の脱着速度を調節する場合等において、室内の圧力に影響を与えることなく、必要に応じて再生用空気の流量を変化させることができる。
加えて、再生用空気の単位時間あたりの流量を、調湿部における吸着用空気に対する除湿負荷に応じて調整するので、除湿負荷が少ない場合には再生用空気の単位時間あたりの流量を減少させ、除湿負荷が大きい場合には再生用空気の単位時間あたりの流量を増加させることより、再生用空気の単位時間あたりの流量が調湿部における除湿負荷に対して最適な流量となるように調整することができる。
つまり、再生用空気の単位時間あたりの流量を、調湿素子が再生側素子として機能するように切り換えられる前において、吸着側素子として機能しているときの調湿部における水分の吸着状態に応じて調整することができる。また、再生用空気の単位時間あたりの流量を、調湿素子が再生側素子として機能するように切り換えられる前において、吸着側素子として機能しているときの調湿部を通過した吸着用空気の単位時間あたりの流量や、吸着用空気の湿度等に応じて調整することができる。
例えば、吸着側素子として機能しているときの調湿部における水分の吸着状態を、吸着側素子として機能しているときの調湿部における水分吸着量とする場合には、水分吸着量が多い時には再生用空気の流量を増加させ、水分吸着量が少ない時には再生用空気の流量を減少させることにより、再生用空気による再生側素子の調湿部を加熱する加熱量が、調湿部における吸着用空気に対する除湿負荷に応じて最適となるように調整することができる。
【００１３】
本発明に係る空調システムの更なる特徴構成は、前記室外空気循環通路を通流する室外空気の流量を調整する循環量調整手段を備え、
前記循環量調整手段が、前記再生側素子の前記調湿部を通過する前記再生用空気の単位時間あたりの流量を、当該調湿部における前記吸着用空気に対する除湿負荷に応じて調整する点にある。
【００１４】
上記特徴構成によれば、再生用空気の単位時間あたりの流量を、調湿部における吸着用空気に対する除湿負荷に応じて調整するので、除湿負荷が少ない場合には再生用空気の単位時間あたりの流量を減少させ、除湿負荷が大きい場合には再生用空気の単位時間あたりの流量を増加させることより、再生用空気の単位時間あたりの流量が調湿部における除湿負荷に対して最適な流量となるように調整することができる。
【００１５】
つまり、再生用空気の単位時間あたりの流量を、調湿素子が再生側素子として機能するように切り換えられる前において、吸着側素子として機能しているときの調湿部における水分の吸着状態に応じて調整することができる。また、再生用空気の単位時間あたりの流量を、調湿素子が再生側素子として機能するように切り換えられる前において、吸着側素子として機能しているときの調湿部を通過した吸着用空気の単位時間あたりの流量や、吸着用空気の湿度等に応じて調整することができる。
【００１６】
例えば、吸着側素子として機能しているときの調湿部における水分の吸着状態を、吸着側素子として機能しているときの調湿部における水分吸着量とする場合には、水分吸着量が多い時には再生用空気の流量を増加させ、水分吸着量が少ない時には再生用空気の流量を減少させることにより、再生用空気による再生側素子の調湿部を加熱する加熱量が、調湿部における吸着用空気に対する除湿負荷に応じて最適となるように調整することができる。
【００１７】
本発明に係る空調システムの更なる特徴構成は、前記調湿素子は、複数の平板部材が、当該平板部材同士の間の夫々に前記冷却部又は前記調湿部を形成する状態で積層され、前記平板部材の積層方向において、前記冷却部と前記調湿部とが交互に配設されて構成され、前記冷却部における空気の流れ方向と、前記調湿部における空気の流れ方向とが、互いに向かい合う方向である点にある。
【００１８】
上記特徴構成によれば、吸着側素子においては、冷却用空気と吸着用空気との流れ方向を対向流として、冷却用空気が通過する冷却部と吸着用空気が通過する調湿部との間で平板部材を介して熱交換することができるので、水分の吸着熱による調湿部の温度上昇を抑制することができる。一方、再生側素子においては、水分が吸着した調湿部に再生用空気が通過するので、調湿部から再生用空気に水分が脱着し、脱着した水分を調湿部から再生用空気とともに排出することができる。
【００１９】
本発明に係る空調システムの更なる特徴構成は、室内空間へ供給する室外空気の流量と、室内空間から取り出す室内空気の流量とが同等とされる点にある。
【００２０】
上記特徴構成によれば、室内空間へ供給する室外空気の流量と、室内空間から取り出す室内空気の流量とが同等となるように調整するので、室内の圧力を一定の圧力に維持することができる。
【図面の簡単な説明】
【００２１】
【図１】本実施形態に係る空調システムの概略構成図
【図２】調湿素子の斜視図
【図３】調湿素子の分解斜視図
【図４】調湿素子の拡大断面図
【図５】各通路を通流する空気の温度状態及び湿度状態の変化を示す空気線図
【発明を実施するための形態】
【００２２】
本発明の実施形態に係る空調システム１００を、図面に基づいて説明する。
当該空調システム１００は、図１に示すように、主要な機器構成として、一対の調湿素子Ｅと、当該一対の調湿素子Ｅを、吸着側素子Ｅ１と再生側素子Ｅ２とに交互に切り換える切換機構Ｋと、熱媒流通路２２を通流する熱媒と室外空気循環通路Ｌ４を通流する空気とを熱交換する熱交換器として構成された加熱部としての加熱器２１とを備えるものである。
【００２３】
図２及び図３に示すように、一対の調湿素子Ｅの夫々は、略六角形状に形成された複数の平板部材１が、当該平板部材１同士の間の夫々に冷却部Ｃ又は調湿部Ｗを形成する状態で積層され、平板部材１の積層方向において、冷却部Ｃと調湿部Ｗとが交互に配設されて構成されている。複数の平板部材１の外周縁部には、平板部材１の外周縁部同士を接続する側壁板２が設けられている。なお、本実施形態では、６枚の平板部材１によって、３層の冷却部Ｃと２層の調湿部Ｗが形成された場合について説明するが、通常の実用レベルでは、１００枚以上の平板部材１を積層して、５０層以上の冷却部Ｃと調湿部Ｗとを夫々形成することが想定される。
【００２４】
調湿素子Ｅが、吸着側素子Ｅ１に切り換えられた場合には、調湿部Ｗに室外空気ＯＡである吸着用空気ＷＡを通過させて吸着用空気ＷＡに含まれる水分を吸着しつつ、冷却部Ｃに冷却用空気ＣＡを通過させて調湿部Ｗにおいて吸着用空気ＷＡの水分吸着に伴って発生する吸着熱を吸収する状態で、調湿部Ｗを通過して水分が除去された吸着用空気ＷＡを室内空間に供給することができる。一方、再生側素子Ｅ２に切り換えられた場合、調湿部Ｗに再生用空気Ｒを通過させて、調湿部Ｗから水分を脱着することができる。
【００２５】
図３及び図４に基づいて、調湿素子Ｅについて具体的に説明する。
図３に示すように、調湿部Ｗ及び冷却部Ｃの夫々には、調湿素子Ｅの上面視で、六角形状の平板部材１の長手方向の両端部に、流入口側の流入領域８、１１と、流入口側の流出領域１０、１３とが設けられ、流入領域８、１１と流出領域１０、１３との間に誘導部分９、１２が設けられている。
【００２６】
調湿部Ｗの誘導部分９には、吸着用空気ＷＡを誘導する第１誘導部材３が設けられ、冷却部Ｃの誘導部分１２には、冷却用空気ＣＡを誘導する第２誘導部材４が設けられている。第１誘導部材３及び第２誘導部材４は、上面視で誘導部分９、１２と同等の寸法に形成された波板部材によって構成され、調湿部Ｗ及び冷却部Ｃの流入領域８、１１から流出領域１０、１３に向かう方向に直交する方向における断面視が波形状となるように誘導部分９、１２に配置されている。
【００２７】
また、調湿部Ｗの流入領域８側の側面部分に調湿部入口Ｗｉｎが設けられ、調湿部Ｗの流出領域１０側の側面部分に調湿部出口Ｗｏｕｔが設けられている。一方、冷却部Ｃの流入領域１１側の側面部分に冷却部入口Ｃｉｎが設けられ、冷却部Ｃの流出領域１３側の側面部分に冷却部出口Ｃｏｕｔが設けられている。
【００２８】
第１誘導部材３及び第２誘導部材４は、調湿部Ｗにおける吸着用空気ＷＡと冷却部Ｃにおける冷却用空気ＣＡとの流れ方向とが、互いに向かい合う方向となるように誘導部分９及び誘導部分１２に夫々配置されており、吸着用空気ＷＡと冷却用空気ＣＡとが平板部材１を介して対向流を成す状態で、調湿部Ｗと冷却部Ｃとの間で熱交換することができる。
また、図４に示すように、調湿部Ｗに設けられた第１誘導部材３及び冷却部Ｃに設けられた第２誘導部材４は、夫々、第１波板部材５ａ及び第２波板部材５ｂにより構成されている。
【００２９】
平板部材１、側壁板２、第１波板部材５ａ及び第２波板部材５ｂは、例えば、ポリプロピレン（ＰＰ）、ポリエチレン（ＰＥ）、又は、ポリエチレンテレフタレート（ＰＥＴ）等の樹脂を材質として、５０ミクロン程度の厚さの薄板により構成されている。その他、平板部材１及び側壁板２については、例えば、紙（空気に含まれる水分が透過しない処理がなされたもの）、金属（例えばアルミニウム等）、ガラス、セラミックなどの材料を用いて作製することができる。また、第１波板部材５ａ及び第２波板部材５ｂについては、例えば、紙、金属（例えばアルミニウム等）、ガラス、セラミックなどの材料を用いて作製することができる。本実施形態では、平板部材１及び波板部材５及び側壁板２としてポリエチレンテレフタレートを用いる。
【００３０】
図４に示すように、複数の平板部材１の調湿部Ｗに面する第１面１ａには、調湿部Ｗを通過する吸着用空気ＷＡに含まれる水分を吸脱着する吸湿剤６が保持されている。さらに、第１波板部材５ａの表面、つまり、第１波板部材５ａの上面側及び下面側にも吸湿剤６が保持されている。このように、平板部材１及び表面積の大きな波板部材５の両面に多くの吸湿剤６を保持させることができるので、調湿部Ｗにおける水分の吸着性能を高くすることができる。
【００３１】
吸湿剤６としては様々な種類のものを用いることができるが、例えば、ポリアクリル酸系の樹脂（架橋構造を有するポリアクリル酸ナトリウム等）を主成分とする材料を用いることができる。また、平板部材１と吸湿剤６とのバインダーとして、吸湿剤６を構成する材料と極性が近く、吸湿剤６の体積変化やヒートサイクルに耐えることのできる（即ち、バインダーとしての機能を維持できる）柔軟性を有する材料を用いることができる。例えば、吸湿剤６として上述のようなポリアクリル酸系の材料を用いる場合、バインダーとしては水性ウレタン樹脂、ポリ酢酸ビニル、エチレン−酢酸ビニル共重合体などの材料を利用できる。或いは、上述した材料を混合したものをバインダーとして利用することもできる。本実施形態では、吸湿剤６としてポリアクリル酸ナトリウムを用い、バインダーとして水性ウレタン樹脂を用いる。
尚、吸湿剤６を平板部材１及び波板部材５（第１波板部材５ａ）に対してバインダーを用いて保持させる場合、それら三者の接着性を良好にするためには、平板部材１及び波板部材５（第１波板部材５ａ）は、極性が上記バインダー又は吸湿剤６に近く、耐熱性を有する樹脂材料であることが好ましい。よって、本実施形態では、上述の如く、平板部材１及び波板部材５及び側壁板２としてポリエチレンテレフタレートを用いている。
そして、ポリアクリル酸ナトリウムと水性ウレタン樹脂等の材料で構成されたバインダーとを含む混合液を、第１面１ａ及び第１波板部材５ａの表面に塗布することにより、アクリル酸ナトリウムを第１面１ａ及び第１波板部材５ａの表面に保持させることができる。
【００３２】
一方、複数の平板部材１の冷却部Ｃに面する第２面１ｂには金属膜７が形成されている。金属膜７は、アルミニウム等の材質により、数ミクロン程度の厚さで構成され、蒸着により第１面１ａに形成されている。これにより、第１面１ａに形成された金属膜７の良好な熱伝導性により、冷却用空気ＣＡと平板部材１との間における伝熱面積が金属膜７により拡大するので、冷却用空気ＣＡと平板部材１との間の伝熱を促進することができる。これにより、冷却部Ｃと調湿部Ｗとの間における熱交換効率が向上する。ここで、本実施形態のように平板部材１が樹脂、紙（空気に含まれる水分が透過しない処理がなされたもの）、ガラス、セラミックで構成される場合には、上述の如く、その第１面１ａにアルミニウム等の金属膜７を形成することにより冷却部Ｃと調湿部Ｗとの間における熱交換効率を向上させることができる。また、平板部材１が金属（例えばアルミニウム等）で構成される場合には、その第１面１ａに、平板部材１を構成する金属よりも熱伝導性に優れた金属を材料として金属膜７を形成することにより冷却部Ｃと調湿部Ｗとの間における熱交換効率を向上させることができる。
【００３３】
調湿素子Ｅは、このように構成され、吸着側素子Ｅ１として使用する場合には、調湿部Ｗに室外空気ＯＡである吸着用空気ＷＡを通過させて吸着用空気ＷＡに含まれる水分を吸着しつつ、冷却部Ｃに冷却用空気ＣＡを通過させて調湿部Ｗにおいて吸着用空気ＷＡの水分吸着に伴って発生する吸着熱を冷却する状態で、調湿部Ｗを通過して水分が除去された吸着用空気ＷＡを室内空間に供給することができる。一方、再生側素子Ｅ２として使用する場合には、調湿部Ｗに再生用空気Ｒを通過させて、調湿部Ｗから水分を脱着することができる。
【００３４】
また、図１に示すように、当該実施形態に係る空調システム１００にあっては、室外空間から取り込んだ室外空気ＯＡを、吸着側素子Ｅ１の調湿部Ｗを通過させて室内空間へ供給する給気通路Ｌ１と、当該給気通路Ｌ１へ室外空間から取り込んだ室外空気ＯＡを通流させる給気手段としての第１ファンＦ１と、室内空間から取り出した室内空気ＲＡを、吸着側素子Ｅ１の冷却部Ｃを通過させて室外空間へ排気する排気通路Ｌ２と、排気通路Ｌ２へ室内空間から取り出した空気を通流させる排気手段としての第２ファンＦ２と、室外空間から取り込んだ室外空気ＯＡを、排気通路Ｌ２へ供給する室外空気供給通路Ｌ３とが設けられている。
【００３５】
さらに、室外空間から取り込んだ室外空気ＯＡを、再生側素子Ｅ２の調湿部Ｗを通過させて室外空間へ排出する室外空気循環通路Ｌ４と、室外空気循環通路Ｌ４を通流する空気の流量を調整する循環量調整手段が設けられている。また、詳細な説明は後述するが、給気通路Ｌ１、排気通路Ｌ２及び室外空気循環通路Ｌ４には、夫々の通路を通流する空気の流量を調整する流量調整手段としてのダンパＶ１〜Ｖ５が設けられている。
【００３６】
切換機構Ｋは、一対の調湿素子Ｅのうちの何れか一方を、給気通路Ｌ１を通流する室外空気ＯＡが吸着用空気ＷＡとして調湿部Ｗを通過し、かつ、排気通路Ｌ２を通流する室外空気ＯＡと室内空気ＲＡとが冷却用空気ＣＡとして冷却部Ｃを通過する吸着側素子Ｅ１とし、他方の調湿素子Ｅを、再生用空気Ｒが調湿部Ｗを通過する再生側素子Ｅ２とする状態で、一対の調湿素子Ｅの夫々を、吸着側素子Ｅ１と再生側素子Ｅ２とに切り換え可能に構成されている。なお、この切換機構Ｋは、例えば、ダンパで構成することができる。図示はしないが、一対の調湿素子Ｅの夫々に、給気通路、排気通路、室外空気循環通路を接続して、夫々の通路に切換機構Ｋとしてのダンパを設ける。そして、給気通路及び排気通路に設けられたダンパを開けて、室外空気循環通路に設けられたダンパを閉じることにより、それらの通路に接続された調湿素子Ｅを吸着側素子Ｅ１に切り換えることができる。一方、給気通路及び排気通路に設けられたダンパを閉じて、室外空気循環通路に設けられたダンパを開けることで、それらの通路に接続された調湿素子Ｅを再生側素子Ｅ２とすることができる。この場合、上述の流量調整手段としてのダンパＶ１〜Ｖ５を、この切換機構Ｋとしてのダンパとしても機能させることができる。
【００３７】
つまり、切換機構Ｋは、一対の調湿素子Ｅのうちの何れか一方を吸着側素子Ｅ１とし、他方の調湿素子Ｅを再生側素子Ｅ２として、吸着側素子Ｅ１を通過して除湿された室外空気ＯＡを室内空間に供給する。この状態で所定の切換時間が経過して、例えば、吸着側素子Ｅ１の調湿部Ｗが水分を十分に吸着した状態、かつ、再生側素子Ｅ２の調湿部Ｗが水分を脱着した状態となると、一方の調湿素子Ｅへの空気の通流状態と、他方の調湿素子Ｅへの空気の通流状態とを切り換えて、他方の調湿素子Ｅを吸着側素子Ｅ１とし、一方の調湿素子Ｅを再生側素子Ｅ２として、吸着側素子Ｅ１を通過して除湿された室外空気ＯＡを室内空間に供給する。この切り換えを繰り返することにより、連続的に室外空気ＯＡを除湿して室内空間に供給することが可能となる。
【００３８】
給気通路Ｌ１は、室外空間から取り込んだ室外空気ＯＡを吸着用空気ＷＡとして、調湿部入口Ｗｉｎから、吸着側素子Ｅ１の調湿部Ｗに流入させ、吸着側素子Ｅ１の調湿部出口Ｗｏｕｔから流出する水分除去後の吸着用空気ＷＡを室内空間へ供給するように構成されている。
この給気通路Ｌ１には、調湿部入口Ｗｉｎの上流側にダンパＶ１が設けられており、ダンパＶ３のさらに上流側において第１ファンＦ１が設けられている。また、調湿部出口Ｗｏｕｔの下流側にダンパＶ２が設けられている。
【００３９】
排気通路Ｌ２は、室内空間から取り出した室内空気ＲＡと室外空気供給通路Ｌ３によって供給された室外空気ＯＡとを冷却用空気ＣＡとして、吸着側素子Ｅ１の冷却部入口Ｃｉｎから、冷却部Ｃに流入させる。そして、冷却部Ｃを通過し、冷却部出口Ｃｏｕｔから流出した冷却用空気ＣＡを、室外空間へ排出するように構成されている。
この排気通路Ｌ２には、冷却部入口Ｃｉｎの上流側にダンパＶ３が設けられており、ダンパＶ３のさらに上流側において、室外空気供給通路Ｌ３が接続されている。また、冷却部出口Ｃｏｕｔの下流側に第２ファンＦ２が設けられている。
【００４０】
室外空気供給通路Ｌ３は、上述の如く、給気通路Ｌ１から分岐して、ダンパＶ３よりも上流側の排気通路Ｌ２の通路位置に接続された通路である。この室外空気供給通路Ｌ３は、室外空間から取り入れた室外空気ＯＡを排気通路Ｌ２に供給するものである。これにより、吸着側素子Ｅ１の冷却部Ｃに、室内空気ＲＡと室外空気ＯＡとの混合空気が、冷却用空気ＣＡとして通過するように構成されている。これにより、吸着側素子Ｅ１の冷却部Ｃを通過する冷却用空気ＣＡの流量を増加して冷却部Ｃの冷却能力を上昇させている。
【００４１】
室外空気循環通路Ｌ４は、上述の如く、給気通路Ｌ１から分岐した通路であり、給気通路Ｌ１からから取り込んだ室外空気ＯＡを再生用空気Ｒとして、加熱器２１を通過させ、その後、再生側素子Ｅ２の調湿部入口Ｗｉｎから再生側素子Ｅ２の調湿部Ｗに流入させ、再生側素子Ｅ２の調湿部出口Ｗｏｕｔから流出した再生用空気Ｒを、排気通路Ｌ２の吸着側素子Ｅ１の冷却部出口Ｃｏｕｔより下流側であって第２ファンＦ２よりも上流側に流入させて、排気通路Ｌ２を通流する冷却用空気ＣＡとともに、排気通路Ｌ２により室外空間へ排出するように構成されている。
【００４２】
この加熱器２１は、再生側素子Ｅ２の調湿部入口Ｗｉｎに流入する前の空気を加熱するものであり、上述の如く、熱媒流通路２２を通流する熱媒と室外空気循環通路Ｌ４を通流する再生用空気Ｒとを熱交換して、再生用空気Ｒを加熱する熱交換器である。この加熱器２１は、加熱器２１を通過する再生用空気Ｒの温度が予め設定された設定温度となるように、熱媒流通路２２の流量を変化させるように構成されている。
【００４３】
また、室外空気循環通路Ｌ４には、加熱器２１の下流側であって再生側素子Ｅ２の調湿部入口Ｗｉｎの上流側にダンパＶ４が設けられ、再生側素子Ｅ２の調湿部出口Ｗｏｕｔの下流側であって排気通路Ｌ２との接続部よりも上流側にダンパＶ５が設けられている。
室外空気循環通路Ｌ４を通流する空気の流量を調整する循環量調整手段は、給気手段としての第１ファンＦ１と、排気手段としての第２ファンＦ２と、流量調整手段としてのダンパＶ４及びダンパＶ５とで構成されている。つまり、室外空気循環通路Ｌ４を通流する空気の流量は、第１ファンＦ１と、第２ファンＦ２と、ダンパＶ４及びダンパＶ５とで調整される。
【００４４】
室外空気循環通路Ｌ４及び室外空気供給通路Ｌ３は、給気通路Ｌ１において、第１ファンＦ１よりも下流側であって、吸着側素子Ｅ１の調湿部Ｗの調湿部入口Ｗｉｎよりも上流側で分岐する通路である。つまり、第１ファンＦ１は、室外空気循環通路Ｌ４が給気通路Ｌ１から分岐する分岐部Ｌａ、及び、室外空気供給通路Ｌ３が給気通路Ｌ１から分岐する分岐部Ｌｂよりも給気通路Ｌ１において上流側に設けられている。
【００４５】
図１に示した例では、給気通路Ｌ１において、分岐部Ｌａと分岐部Ｌｂとが同じ通路位置に形成されており、分岐部Ｌａ及び分岐部Ｌｂから室外空気循環通路Ｌ４と室外空気供給通路Ｌ３が分岐する分岐部Ｌｃまでは、室外空気循環通路Ｌ４と室外空気供給通路Ｌ３は単一の通路で構成されている。
【００４６】
これにより、第１ファンＦ１は、給気通路Ｌ１、室外空気供給通路Ｌ３及び室外空気循環通路Ｌ４の夫々に室外空気ＯＡを供給することができる。
例えば、給気通路Ｌ１を通流して吸着側素子Ｅ１の調湿部Ｗを通過する室外空気ＯＡの流量、室外空気供給通路Ｌ３を通流して排気通路Ｌ２に流入する室外空気ＯＡの流量、及び、室外空気循環通路Ｌ４を通流して再生側素子Ｅ２の調湿部Ｗを通過する室外空気ＯＡの流量の合計流量に基づいて、第１ファンＦ１から室外空気ＯＡを送り出す送風量を調整することができる。また、ダンパＶ１〜Ｖ５が各通路に設けられているので、室外空気ＯＡの各通路への分配比を調整することができる。
【００４７】
次に、各通路を通流する空気の流量調整について説明する。
各通路を通流する空気の流量調整は、各通路に通流させる空気の目標流量を決定し、その決定した目標流量となるように第１ファンＦ１、第２ファンＦ２の送風能力及びダンパＶ１〜Ｖ５の開度を調節することによって行う。
【００４８】
つまり、給気通路Ｌ１により室内空間へ供給する室外空気ＯＡの目標流量、排気通路Ｌ２により室内空間から取り出す室内空気ＲＡの目標流量、室外空気供給通路Ｌ３により排気通路Ｌ２へ供給する室外空気ＯＡの目標流量、及び、室外空気循環通路Ｌ４により再生側素子Ｅ２の調湿部Ｗを通過させる室外空気ＯＡの目標流量を決定する。
【００４９】
なお、給気通路Ｌ１及び排気通路Ｌ２の目標流量については、例えば、使用者によって設定された室内の換気量に基づいて決定することができる。また、室外空気供給通路Ｌ３の目標流量については、冷却用空気ＣＡの流量を増加させるために室内空気ＲＡに加えることが必要となる流量に基づいて決定することができる。そして、室外空気循環通路Ｌ４の目標流量については、再生用空気Ｒとして再生側素子Ｅ２の調湿部Ｗの水分を脱着させるために必要となる流量に基づいて決定することができる。
【００５０】
そして、上述の如く、給気通路Ｌ１、排気通路Ｌ２、室外空気供給通路Ｌ３、及び、室外空気循環通路Ｌ４の夫々の通路の流量が、決定された目標流量となるように、第１ファンＦ１、第２ファンＦ２の送風能力及びダンパＶ１〜Ｖ５の開度を調節する。
【００５１】
各通路を通流する空気の流量調整の一例を以下に示す。
この例では、室内の圧力を一定に維持した状態で換気するために、給気通路Ｌ１により室内空間へ供給する室外空気ＯＡの流量と、排気通路Ｌ２により室内空間から取り出す室内空気ＲＡの流量とが同等となるように、給気通路Ｌ１と排気通路Ｌ２との目標流量を決定する。
【００５２】
室外空気供給通路Ｌ３の目標流量については、冷却用空気ＣＡの流量を増加させるために、室内空間から排気通路Ｌ２に取り出された室内空気ＲＡの流量と同じ流量の室外空気ＯＡを室内空気ＲＡに加えることとする。よって、室外空気供給通路Ｌ３については、室内空間から排気通路Ｌ２に取り出された室内空気ＲＡの流量を目標流量とする。
【００５３】
室外空気循環通路Ｌ４の目標流量については、切換機構Ｋによって、一対の調湿素子Ｅを、吸着側素子Ｅ１と再生側素子Ｅ２との間で切り換える所定の切換時間内において再生側素子Ｅ２の調湿部Ｗから脱着する水分量が所定の水分脱着量となる流量を目標流量とする。
【００５４】
そして、各通路の流量が、上述の如く、各通路に対して決定した目標流量となるように第１ファンＦ１、第２ファンＦ２の送風能力及びダンパＶ１〜Ｖ５の開度を調節する。
【００５５】
次に、室外空気循環通路Ｌ４における目標流量を求める手順の一例について説明する。
本実施形態においては、室外空気循環通路Ｌ４の再生用空気Ｒの流量調整については、再生側素子Ｅ２の調湿部Ｗを通過する再生用空気Ｒの単位時間あたりの流量（目標流量）を、調湿部Ｗにおける吸着用空気ＷＡに対する除湿負荷に応じて調整するように構成されている。
【００５６】
吸着用空気ＷＡに対する除湿負荷として、例えば、吸着用空気ＷＡの調湿部Ｗに実際に吸着した水分量を除湿負荷として利用すること、又は、吸着用空気ＷＡの調湿部Ｗへの吸着が予測される水分量を除湿負荷として利用することができる。
【００５７】
本実施形態においては、除湿負荷を、切換機構Ｋによって再生側素子Ｅ２に切り換えられる前の調湿部Ｗにおいて実際に吸着した水分量である水分吸着量として、これに応じて再生用空気Ｒの単位時間あたりの目標流量を決定する。
【００５８】
調湿部Ｗにおいて実際に吸着した水分量である水分吸着量を検出する手順の一例を以下に示す。調湿素子Ｅが、吸着側素子Ｅ１に切り換えられている期間において、図示しない湿度計測部により、室外空気ＯＡの湿度と、室内に供給する供給空気ＳＡの湿度を計測する。また、図示しない流量計により、調湿部Ｗを通過した室外空気ＯＡの流量を求める。そして、計測された湿度測定値の差分と室外空気ＯＡの流量とに基づいて、単位時間における調湿部Ｗに吸着された単位水分吸着量を求め、その単位水分吸着量を吸着側素子Ｅ１に切り換えられている期間にわたって積算することにより、吸着側素子Ｅ１に切り換えられている期間において調湿部Ｗに吸着された総水分量としての水分吸着量を求める。
【００５９】
そして、吸着側素子Ｅ１として機能する調湿素子Ｅが、切換機構Ｋにより再生側素子Ｅ２に切り換えられたときに、求められた水分吸着量に応じて再生用空気Ｒの単位時間あたりの目標流量を決定することができる。この場合、求められた水分吸着量が多いときには再生用空気Ｒの単位時間あたりの目標流量を増加させ、求められた水分吸着量が少ないときには再生用空気Ｒの単位時間あたりの目標流量を減少させることができる。これにより、再生側素子Ｅ２の調湿部Ｗに供給される加熱器２１により設定温度に加熱された再生用空気Ｒが、調湿部Ｗにおける吸着用空気ＷＡに対する除湿負荷に応じて最適となる流量で供給されるので、例えば、加熱器２１により設定温度に加熱された再生用空気Ｒが、調湿部Ｗにおける水分吸着量に対して過剰に供給させることを防止して、再生側素子Ｅ２の調湿部Ｗから水分を脱着するために必要となる再生用空気Ｒの加熱量を少なくすることができる。
【００６０】
〔各通路を通流する空気の温度状態及び湿度状態の変化〕
次に、図５に基づいて、上述の如く、給気通路Ｌ１と排気通路Ｌ２については、給気通路Ｌ１により室内空間へ供給する室外空気ＯＡの流量と、排気通路Ｌ２により室内空間から取り出す室内空気ＲＡの流量とが同等となるように目標流量を決定し、室外空気供給通路Ｌ３については、室内空間から排気通路Ｌ２に取り出された室内空気ＲＡの流量と同じ流量を目標流量として決定する場合における各通路を通流する空気の温度状態及び湿度状態の変化の一例を示す。
なお、室外空気循環通路Ｌ４の目標流量については、給気通路Ｌ１を通過して吸着側素子Ｅ１の調湿部Ｗを通過する吸着用空気ＷＡの流量と同じ流量、つまり、給気通路Ｌ１により室内空間へ供給する室外空気ＯＡの流量と同じ流量に決定されている場合の例を示す。
【００６１】
給気通路Ｌ１における吸着用空気ＷＡの流れ、つまり、室外空気ＯＡが給気通路Ｌ１及び吸着側素子Ｅ１の調湿部Ｗを介して供給空気ＳＡとして室内に供給する空気の流れにおいて、図１に示すように、給気通路Ｌ１の第１ファンＦ１よりも上流側の通路位置ＰＷ１、及び、ダンパＶ２よりも下流側の通路位置ＰＷ２における温度・絶対湿度・相対湿度等の空気の状態を、夫々、図５に示す空気状態ｐｗ１及び空気状態ｐｗ２によって示す。
【００６２】
給気通路Ｌ１の第１ファンＦ１よりも上流側の通路位置ＰＷ１における空気状態ｐｗ１は、吸着用空気ＷＡの調湿部Ｗにおいて水分が吸着される前の吸着用空気ＷＡの状態である。また、ダンパＶ２よりも下流側の通路位置ＰＷ２における空気状態ｐｗ２は、吸着用空気ＷＡの調湿部Ｗにおいて水分が吸着された後の吸着用空気ＷＡの状態である。
【００６３】
よって、空気状態ｐｗ１から空気状態ｐｗ２への変化は、空気状態ｐｗ１である吸着用空気ＷＡに含まれる水分が吸着側素子Ｅ１の調湿部Ｗにて吸着されるとともに、吸着用空気ＷＡが通過する調湿部Ｗと冷却用空気ＣＡが通過する冷却部Ｃとの間で熱交換されたことによる状態の変化である。本実施形態においては、空気状態ｐｗ１の温度が３０℃、相対湿度が６０％であり、空気状態ｐｗ２の温度が３２℃、相対湿度が３０％となる。
【００６４】
また、排気通路Ｌ２における冷却用空気ＣＡの流れ、つまり、室外空気ＯＡが室外空気供給通路Ｌ３を通じて、室内から取り出される室内空気ＲＡが流れる排気通路Ｌ２に供給され、室外空気ＯＡと室内空気ＲＡとが吸着側素子Ｅ１の冷却部Ｃを介して室外空間へ排出空気ＥＡとして排出する空気の流れにおいて、図１に示すように、室外空気供給通路Ｌ３が接続する通路位置よりも上流側の通路位置ＰＣ１、ダンパＶ３の下流側であって吸着側素子Ｅ１よりも上流側の通路位置ＰＣ２、及び、吸着側素子Ｅ１よりも下流側であって室外空気循環通路Ｌ４が接続する通路位置よりも上流側の通路位置ＰＣ３の通路位置における温度・絶対湿度・相対湿度等の空気の状態を、夫々、図５に示す空気状態ｐｃ１、空気状態ｐｃ２及び空気状態ｐｃ３によって示す。
【００６５】
排気通路Ｌ２に室外空気供給通路Ｌ３が接続する通路位置よりも上流側の通路位置ＰＣ１における空気状態ｐｃ１は、室内空間から排気通路Ｌ２へ取り出された室内空気ＲＡの状態である。この室内空気ＲＡが室外空気供給通路Ｌ３によって排気通路Ｌ２へ供給された室外空気ＯＡと混合された冷却用空気ＣＡが、通路位置ＰＣ２において空気状態ｐｃ２となる。
【００６６】
そして、ダンパＶ３の下流側であって吸着側素子Ｅ１よりも上流側の通路位置ＰＣ２における空気状態ｃｗ２の冷却用空気ＣＡが、冷却部Ｃを通過した後、吸着側素子Ｅ１よりも下流側であって排気通路Ｌ２に室外空気循環通路Ｌ４が接続する通路位置よりも上流側の通路位置ＰＣ３における空気状態ｃｗ３となる。
【００６７】
空気状態ｐｃ３の温度が空気状態ｐｃ２の温度に比べて上昇しているのは、冷却用空気ＣＡが通過した冷却部Ｃと吸着用空気ＷＡが通過した調湿部Ｗとの間で熱交換された結果、調湿部Ｗにおいて発生した水分の吸着熱により冷却用空気ＣＡが加熱されたことによるものである。本実施形態においては、空気状態ｐｃ１の温度が２７℃、相対湿度が６０％となる。空気状態ｐｃ２の温度が２８．５℃、相対湿度が６０％となる。空気状態ｐｃ３の温度が３５℃、相対湿度が４０％となる。
【００６８】
また、室外空気循環通路Ｌ４における再生用空気Ｒの流れ、つまり、室外空気ＯＡが室外空気循環通路Ｌ４及び再生側素子Ｅ２の調湿部Ｗを介して室外空間へ排出空気ＥＡとして排出する空気の流れにおいて、図１に示すように、加熱器２１の下流側であってダンパＶ４の上流側の通路位置ＰＲ１、及び、ダンパＶ４の下流側であって排気通路Ｌ２に接続する通路位置よりも上流側の通路位置ＰＲ２の通路位置における温度・絶対湿度・相対湿度等の空気の状態を、夫々、図５に示す空気状態ｐｒ１及び空気状態ｐｒ２によって示す。
【００６９】
加熱器２１の下流側であってダンパＶ４の上流側の通路位置ＰＲ１における空気状態ｐｒ１は、室外空気ＯＡが加熱器２１によって加熱された状態である。ダンパＶ４の下流側であって排気通路Ｌ２に接続する通路位置よりも上流側の通路位置ＰＲ２における空気状態ｐｒ２は、空気状態ｐｒ１の再生用空気Ｒが、再生側素子Ｅ２の調湿部Ｗを通過して、調湿部Ｗから水分が脱着されることにより、再生用空気Ｒの湿度が上昇するとともに、温度が低下したものである。本実施形態においては、空気状態ｐｒ１の温度が５０℃、相対湿度が２０％となる。また、空気状態ｐｒ２の温度が３５℃、相対湿度が６０％となる。
【００７０】
このように、室外空気ＯＡより温度が低い室内空気ＲＡを再生用空気Ｒとして使用せずに、室外空気ＯＡを再生用空気Ｒとして使用することにより、再生側素子Ｅ２の調湿部Ｗから水分を脱着することができる所定の温度である５０℃にまで再生用空気Ｒを加熱器２１において加熱するために必要となる加熱量を少なくすることができる。
【００７１】
また、室外空気ＯＡを再生用空気Ｒとして利用するので、除湿負荷に応じて再生用空気Ｒの単位時間あたりの流量を変化させることによって、再生側素子Ｅ２の調湿部Ｗにおける水分の脱着速度を調節する場合等に、室内の圧力に影響を与えることなく、必要に応じて再生用空気Ｒの単位時間あたりの流量を変化させることができる。
【００７２】
〔別実施形態〕
以下、別実施形態を列記する。
【００７３】
（１）上記実施形態では、調湿素子Ｅにおいて、６枚の平板部材１を積層することによって、冷却部Ｃと調湿部Ｗとが形成されたが、これに限らず、調湿素子Ｅにおいて、５枚以下の平板部材１を積層することで、冷却部Ｃと調湿部Ｗとを形成してもよいし、７枚以上の平板部材１を積層することで、冷却部Ｃと調湿部Ｗとを形成してもよい。例えば、１００枚以上の平板部材１を積層して、５０層以上の冷却部Ｃと調湿部Ｗとを夫々形成してもよい。
【００７４】
（２）上記実施形態では、第１誘導部材３及び第２誘導部材４を、波板状の部材で構成したが、第１誘導部材３及び第２誘導部材４の形状はこれに限られるものではない。例えば第１誘導部材３及び第２誘導部材４を、断面が三角形や矩形などを一つの単位形状として、その単位形状が繰り返されるような波形に形成されてもよい。その他、第１誘導部材３及び第２誘導部材４を、冷却部Ｃ及び調湿部Ｗの流体の流れる方向に長手方向が沿う状態で、平板部材１に立設した長尺状の板状部材により構成してもよい。
【００７５】
（３）上記実施形態では、調湿素子Ｅにおいて、第１誘導部材３及び第２誘導部材４を、吸着用空気ＷＡと冷却用空気ＣＡとの流れ方向とが互いに向かい合う方向となるように配置したが、これに限らず、第１誘導部材３及び第２誘導部材４を、吸着用空気ＷＡと冷却用空気ＣＡとの流れ方向とが直交する方向となるように配置してもよい。
【００７６】
（４）上記実施形態では、給気通路Ｌ１には、吸着側素子Ｅ１の調湿部Ｗの上流側にダンパＶ１、下流側にダンパＶ２が設けられ、排気通路Ｌ２には、吸着側素子Ｅ１の冷却部Ｃの上流側にダンパＶ３が設けられ、室外空気循環通路Ｌ４には、再生側素子Ｅ２の調湿部Ｗの上流側にダンパＶ４、下流側にダンパＶ５が設けられたが、ダンパの設置数や設置位置は適宜変更することができる。例えば、室外空気供給通路Ｌ３にはダンパが設けられていないが、室外空気供給通路Ｌ３にダンパを設けてもよい。
【００７７】
（５）上記実施形態では、排気通路Ｌ２において、室外空気循環通路Ｌ４が接続する通路位置が、第２ファンＦ２よりも上流側に設けられたが、これに限らず、排気通路Ｌ２において、室外空気循環通路Ｌ４が接続する通路位置を、第２ファンＦ２よりも下流側に設けてもよい。
【００７８】
（６）上記実施形態では、室外空気循環通路Ｌ４が給気通路Ｌ１から分岐する分岐部Ｌａと室外空気供給通路Ｌ３が給気通路Ｌ１から分岐する分岐部Ｌｂとを、給気通路Ｌ１において同じ通路位置に設けたが、これに限らず、室外空気循環通路Ｌ４が給気通路Ｌ１から分岐する分岐部Ｌａと室外空気供給通路Ｌ３が給気通路Ｌ１から分岐する分岐部Ｌｂとを、給気通路Ｌ１において異なる通路位置に設けてもよい。また、室外空気循環通路Ｌ４が給気通路Ｌ１から分岐する分岐部Ｌａと室外空気供給通路Ｌ３が給気通路Ｌ１から分岐する分岐部Ｌｂとを設けず、室外空気循環通路Ｌ４及び室外空気供給通路Ｌ３に、室外空間から室外空気ＯＡが供給されるように構成してもよい。
【００７９】
（７）上記実施形態では、調湿部Ｗにおける吸着用空気ＷＡに対する除湿負荷を、再生側素子Ｅ２に切り換えられる前の調湿部Ｗにおける水分の水分吸着量として、これに応じて再生用空気Ｒの単位時間あたりの流量を調整するように構成したが、これに限らず、調湿部Ｗにおける吸着用空気ＷＡに対する除湿負荷を、切換機構Ｋによって再生側素子Ｅ２に切り換えられる前に、吸着側素子Ｅ１の調湿部Ｗを通過した吸着用空気ＷＡの総流量及びその吸着用空気ＷＡの湿度から求められる吸着側素子Ｅ１の調湿部Ｗに流入した総流入水分量として、これに応じて再生用空気Ｒの単位時間あたりの流量を調整することができる。この場合、吸着用空気ＷＡの単位時間あたりの総流入水分量が大きいほど、再生用空気Ｒの単位時間あたりの流量が増加するように調整することができる。
【００８０】
その他、調湿部Ｗにおける吸着用空気ＷＡに対する除湿負荷を、切換機構Ｋによって再生側素子Ｅ２に切り換えられる前に、吸着側素子Ｅ１の調湿部Ｗを通過した吸着用空気ＷＡの湿度として、これに応じて再生用空気Ｒの単位時間あたりの流量を調整することができる。この場合、吸着用空気ＷＡの湿度が大きいほど、再生用空気Ｒの単位時間あたりの流量が増加するように調整することができる。
【００８１】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８２】
以上説明したように、調湿素子の吸着部から水分を脱着するために必要となる再生用空気の加熱量を少なくすることができる空調システムを提供することができる。
【符号の説明】
【００８３】
１      平板部材
２１    加熱部（加熱部）
１００  空調システム
Ｃ      冷却部
ＣＡ    冷却用空気
Ｅ      調湿素子
Ｅ１    吸着側素子
Ｅ２    再生側素子
Ｆ１    第１ファン（給気手段、循環量調整手段）
Ｆ２    第２ファン
Ｋ      切換機構
Ｌ１    給気通路
Ｌ２    排気通路
Ｌ３    室外空気供給通路
Ｌ４    室外空気循環通路
ＯＡ    室外空気
Ｒ      再生用空気
ＲＡ    室内空気
Ｒａ    分岐部
Ｒｂ    分岐部
Ｖ４    バルブ（循環量調整手段）
Ｖ５    バルブ（循環量調整手段）
Ｗ      調湿部
ＷＡ    吸着用空気
【図１】
0006570345.tif 000002
【図２】
0006570345.tif 000003
【図３】
0006570345.tif 000004
【図４】
0006570345.tif 000005
【図５】
0006570345.tif 000006